【手続補正書】
【提出日】平成17年10月21日(2005.10.21)
【手続補正１】
【補正対象書類名】明細書
【補正対象項目名】発明の名称
【補正方法】変更
【補正の内容】
【発明の名称】画像形成装置およびその制御方法
【手続補正２】
【補正対象書類名】明細書
【補正対象項目名】特許請求の範囲
【補正方法】変更
【補正の内容】
【特許請求の範囲】
【請求項１】  入力された画像データに基づいて画像形成を行う画像形成装置において、
前記画像形成装置の自動調整を行う自動調整手段と、
画像形成実行中に別の画像形成ジョブを予約するジョブ予約手段と、
前記自動調整手段が行うべき自動調整項目毎に、前回の自動調整後に実行された画像形成ページ数を計数する計数手段と、
前記計数手段で計数された画像形成ページ数及び前記ジョブ予約手段に予約された画像形成ジョブに基づいて、前記ジョブ予約手段に予約された画像形成ジョブの実行中に前記自動調整手段により自動調整を行うべき画像形成ページ数に達するか否かを判別する判別手段と、
前記ジョブ予約手段に予約された画像形成ジョブの実行中に自動調整を行うべき画像形成ページ数に達することが前記判別手段により判別された場合、前記計数手段で計数された画像形成ページ数が前記自動調整手段により自動調整を行うべき画像形成ページ数に達していなくても、前記ジョブ予約手段に予約された画像形成ジョブの実行開始前に前記自動調整手段により自動調整を行わせる制御手段とを備えたことを特徴とする画像形成装置。
【請求項２】  前記判別手段は、自動調整を行うべき画像形成ページ数から前記計数手段で計数された画像形成ページ数を引いたページ数よりも前記ジョブ予約手段に予約された次の画像形成ジョブの総画像形成ページ数が大きいか否かを判別することにより、前記ジョブ予約手段に予約された画像形成ジョブの実行中に前記自動調整手段により自動調整を行うべき画像形成ページ数に達するか否かを判別することを特徴とする請求項１記載の画像形成装置。
【請求項３】  入力された画像データに基づいて画像形成を行う画像形成装置において、
前記画像形成装置の自動調整を行う自動調整手段と、
前記自動調整手段が行うべき自動調整項目毎に、前回の自動調整後に実行された画像形成ページ数を計数する計数手段と、
前記計数手段で計数された画像形成ページ数が第１のしきい値に達したことに応じて、前記自動調整手段により自動調整を行わせる制御手段と、
前記第１のしきい値よりも小さい第２のしきい値を設定する設定手段と、
前記計数手段で計数された画像形成ページ数が前記設定手段で設定された第２のしきい値に達したか否かを、次の画像形成ジョブの実行開始前に判別する判別手段と、
を有し、
前記制御手段は、前記判別手段により前記計数手段で計数された画像形成ページ数が前記第２のしきい値に達したと判別された場合、前記計数手段で計数された画像形成ページ数が前記第１のしきい値に達していなくても、次の画像形成ジョブの実行開始前に前記自動調整手段により自動調整を行わせることを特徴とする画像形成装置。
【請求項４】  前記第２のしきい値は、ユーザが設定可能な値であることを特徴とする請求項３記載の画像形成装置。
【請求項５】  前記第２のしきい値は、所定期間内あるいは所定の画像形成ジョブ回数内に実行された画像形成ジョブの内容に基づき、自動的に決定されることを特徴とする請求項３記載の画像形成装置。
【請求項６】  前記画像形成ジョブの内容は、前記所定期間内あるいは所定の画像形成ジョブ回数内における１ジョブ当たりの平均画像形成枚数であることを特徴とする請求項５記載の画像形成装置。
【請求項７】  前記画像形成ジョブの内容は、前記所定期間内あるいは所定の画像形成ジョブ回数内に計数されたビデオカウント値であることを特徴とする請求項５記載の画像形成装置。
【請求項８】  入力された画像データに基づいて画像形成を行う画像形成装置において、
前記画像形成装置の自動調整を行う自動調整手段と、
前記自動調整手段が行うべき自動調整項目毎に、前回の自動調整後に実行された画像形成ページ数を計数する計数手段と、
前記計数手段で計数された画像形成ページ数が第１のしきい値に達したことに応じて、前記自動調整手段により自動調整を行わせる制御手段と、
前記第１のしきい値よりも小さい第２のしきい値を設定する設定手段と、
前記計数手段で計数された画像形成ページ数が前記設定手段で設定された第２のしきい値に達したか否かを、画像形成ジョブの実行途中で中断があったときに判別する判別手段と、
を有し、
前記制御手段は、前記判別手段により前記計数手段で計数された画像形成ページ数が前記第２のしきい値に達したと判別された場合、前記計数手段で計数された画像形成ページ数が前記第１のしきい値に達していなくても、画像形成ジョブの中断再開前に前記自動調整手段により自動調整を行わせることを特徴とする画像形成装置。
【請求項９】  前記第２のしきい値は、ユーザが設定可能な値であることを特徴とする請求項８記載の画像形成装置。
【請求項１０】  前記第２のしきい値は、所定期間内あるいは所定の画像形成ジョブ回数内に実行された画像形成ジョブの内容に基づき、自動的に決定されることを特徴とする請求項８記載の画像形成装置。
【請求項１１】  前記画像形成ジョブの内容は、前記所定期間内あるいは所定の画像形成ジョブ回数内における１ジョブ当たりの平均画像形成枚数であることを特徴とする請求項１０記載の画像形成装置。
【請求項１２】  前記画像形成ジョブの内容は、前記所定期間内あるいは所定の画像形成ジョブ回数内に計数されたビデオカウント値であることを特徴とする請求項１０記載の画像形成装置。
【請求項１３】  画像形成装置内の調整個所の自動調整を行う機能を有する画像形成装置の制御方法において、
画像形成実行中に別の画像形成ジョブを予約するジョブ予約ステップと、
前記自動調整の項目毎に、前回の自動調整後に実行された画像形成ページ数を計数する計数ステップと、
前記計数ステップで計数された画像形成ページ数及び前記ジョブ予約ステップで予約された画像形成ジョブに基づいて、前記予約された画像形成ジョブの実行中に自動調整を行うべき画像形成ページ数に達するか否かを判別する判別ステップと、
前記予約された画像形成ジョブの実行中に自動調整を行うべき画像形成ページ数に達することが前記判別ステップで判別された場合、前記計数ステップで計数された画像形成ページ数が自動調整を行うべき画像形成ページ数に達していなくても、前記予約された画像形成ジョブの実行開始前に自動調整を行わせる制御ステップと、
を備えたことを特徴とする画像形成装置の制御方法。
【請求項１４】  画像形成装置内の調整個所の自動調整を行う機能を有する画像形成装置の制御方法において、
前記自動調整の項目毎に、前回の自動調整後に実行された画像形成ページ数を計数する計数ステップと、
前記計数ステップで計数された画像形成ページ数が第１のしきい値に達したことに応じて、自動調整を行わせる制御ステップと、
前記第１のしきい値よりも小さい第２のしきい値を設定する設定ステップと、
前記計数手段で計数された画像形成ページ数が前記設定ステップで設定された第２のしきい値に達したか否かを、次の画像形成ジョブの実行開始前に判別する判別ステップと、
を有し、
前記制御ステップでは、前記計数ステップで計数された画像形成ページ数が前記第２のしきい値に達したと判別された場合、前記計数ステップで計数された画像形成ページ数が前記第１のしきい値に達していなくても、次の画像形成ジョブの実行開始前に自動調整を行わせることを特徴とする画像形成装置の制御方法。
【請求項１５】  画像形成装置内の調整個所の自動調整を行う機能を有する画像形成装置の制御方法において、
前記自動調整の項目毎に、前回の自動調整後に実行された画像形成ページ数を計数する計数ステップと、
前記計数ステップで計数された画像形成ページ数が第１のしきい値に達したことに応じて、自動調整を行わせる制御ステップと、
前記第１のしきい値よりも小さい第２のしきい値を設定する設定ステップと、
前記計数ステップで計数された画像形成ページ数が前記設定ステップで設定された第２のしきい値に達したか否かを、画像形成ジョブの実行途中で中断があったときに判別する判別ステップと、
を有し、
前記制御ステップでは、前記計数ステップで計数された画像形成ページ数が前記第２のしきい値に達したと判別された場合、前記計数ステップで計数された画像形成ページ数が前記第１のしきい値に達していなくても、画像形成ジョブの中断再開前に自動調整を行わせることを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、濃度調整等の調整機能を有するデジタル複写機、ページプリンタ等の画像形成装置およびその制御方法に関する。
【手続補正４】
【補正対象書類名】明細書
【補正対象項目名】０００７
【補正方法】変更
【補正の内容】
【０００７】
そこで、本発明は、適切なタイミングで調整モードを実行できる画像形成装置およびその制御方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明の画像形成装置は、入力された画像データに基づいて画像形成を行う画像形成装置において、前記画像形成装置の自動調整を行う自動調整手段と、画像形成実行中に別の画像形成ジョブを予約するジョブ予約手段と、前記自動調整手段が行うべき自動調整項目毎に、前回の自動調整後に実行された画像形成ページ数を計数する計数手段と、前記計数手段で計数された画像形成ページ数及び前記ジョブ予約手段に予約された画像形成ジョブに基づいて、前記ジョブ予約手段に予約された画像形成ジョブの実行中に前記自動調整手段により自動調整を行うべき画像形成ページ数に達するか否かを判別する判別手段と、前記ジョブ予約手段に予約された画像形成ジョブの実行中に自動調整を行うべき画像形成ページ数に達することが前記判別手段により判別された場合、前記計数手段で計数された画像形成ページ数が前記自動調整手段により自動調整を行うべき画像形成ページ数に達していなくても、前記ジョブ予約手段に予約された画像形成ジョブの実行開始前に前記自動調整手段により自動調整を行わせる制御手段とを備えたことを特徴とする。
【手続補正６】
【補正対象書類名】明細書
【補正対象項目名】０００９
【補正方法】変更
【補正の内容】
【０００９】
本発明の画像形成装置は、入力された画像データに基づいて画像形成を行う画像形成装置において、前記画像形成装置の自動調整を行う自動調整手段と、前記自動調整手段が行うべき自動調整項目毎に、前回の自動調整後に実行された画像形成ページ数を計数する計数手段と、前記計数手段で計数された画像形成ページ数が第１のしきい値に達したことに応じて、前記自動調整手段により自動調整を行わせる制御手段と、前記第１のしきい値よりも小さい第２のしきい値を設定する設定手段と、前記計数手段で計数された画像形成ページ数が前記設定手段で設定された第２のしきい値に達したか否かを、次の画像形成ジョブの実行開始前に判別する判別手段と、を有し、前記制御手段は、前記判別手段により前記計数手段で計数された画像形成ページ数が前記第２のしきい値に達したと判別された場合、前記計数手段で計数された画像形成ページ数が前記第１のしきい値に達していなくても、次の画像形成ジョブの実行開始前に前記自動調整手段により自動調整を行わせることを特徴とする。
【手続補正７】
【補正対象書類名】明細書
【補正対象項目名】００１０
【補正方法】変更
【補正の内容】
【００１０】
本発明の画像形成装置は、入力された画像データに基づいて画像形成を行う画像形成装置において、前記画像形成装置の自動調整を行う自動調整手段と、前記自動調整手段が行うべき自動調整項目毎に、前回の自動調整後に実行された画像形成ページ数を計数する計数手段と、前記計数手段で計数された画像形成ページ数が第１のしきい値に達したことに応じて、前記自動調整手段により自動調整を行わせる制御手段と、前記第１のしきい値よりも小さい第２のしきい値を設定する設定手段と、前記計数手段で計数された画像形成ページ数が前記設定手段で設定された第２のしきい値に達したか否かを、画像形成ジョブの実行途中で中断があったときに判別する判別手段と、を有し、前記制御手段は、前記判別手段により前記計数手段で計数された画像形成ページ数が前記第２のしきい値に達したと判別された場合、前記計数手段で計数された画像形成ページ数が前記第１のしきい値に達していなくても、画像形成ジョブの中断再開前に前記自動調整手段により自動調整を行わせることを特徴とする。
【手続補正８】
【補正対象書類名】明細書
【補正対象項目名】００１１
【補正方法】変更
【補正の内容】
【００１１】
本発明の画像形成装置の制御方法は、画像形成装置内の調整個所の自動調整を行う機能を有する画像形成装置の制御方法において、画像形成実行中に別の画像形成ジョブを予約するジョブ予約ステップと、前記自動調整の項目毎に、前回の自動調整後に実行された画像形成ページ数を計数する計数ステップと、前記計数ステップで計数された画像形成ページ数及び前記ジョブ予約ステップで予約された画像形成ジョブに基づいて、前記予約された画像形成ジョブの実行中に自動調整を行うべき画像形成ページ数に達するか否かを判別する判別ステップと、前記予約された画像形成ジョブの実行中に自動調整を行うべき画像形成ページ数に達することが前記判別ステップで判別された場合、前記計数ステップで計数された画像形成ページ数が自動調整を行うべき画像形成ページ数に達していなくても、前記予約された画像形成ジョブの実行開始前に自動調整を行わせる制御ステップと、を備えたことを特徴とする。
【手続補正９】
【補正対象書類名】明細書
【補正対象項目名】００１２
【補正方法】変更
【補正の内容】
【００１２】
本発明の画像形成装置の制御方法は、画像形成装置内の調整個所の自動調整を行う機能を有する画像形成装置の制御方法において、前記自動調整の項目毎に、前回の自動調整後に実行された画像形成ページ数を計数する計数ステップと、前記計数ステップで計数された画像形成ページ数が第１のしきい値に達したことに応じて、自動調整を行わせる制御ステップと、前記第１のしきい値よりも小さい第２のしきい値を設定する設定ステップと、前記計数手段で計数された画像形成ページ数が前記設定ステップで設定された第２のしきい値に達したか否かを、次の画像形成ジョブの実行開始前に判別する判別ステップと、を有し、前記制御ステップでは、前記計数ステップで計数された画像形成ページ数が前記第２のしきい値に達したと判別された場合、前記計数ステップで計数された画像形成ページ数が前記第１のしきい値に達していなくても、次の画像形成ジョブの実行開始前に自動調整を行わせることを特徴とする。
【手続補正１０】
【補正対象書類名】明細書
【補正対象項目名】００１３
【補正方法】変更
【補正の内容】
【００１３】
本発明の画像形成装置の制御方法は、画像形成装置内の調整個所の自動調整を行う機能を有する画像形成装置の制御方法において、前記自動調整の項目毎に、前回の自動調整後に実行された画像形成ページ数を計数する計数ステップと、前記計数ステップで計数された画像形成ページ数が第１のしきい値に達したことに応じて、自動調整を行わせる制御ステップと、前記第１のしきい値よりも小さい第２のしきい値を設定する設定ステップと、前記計数ステップで計数された画像形成ページ数が前記設定ステップで設定された第２のしきい値に達したか否かを、画像形成ジョブの実行途中で中断があったときに判別する判別ステップと、を有し、前記制御ステップでは、前記計数ステップで計数された画像形成ページ数が前記第２のしきい値に達したと判別された場合、前記計数ステップで計数された画像形成ページ数が前記第１のしきい値に達していなくても、画像形成ジョブの中断再開前に自動調整を行わせることを特徴とする。
【手続補正１１】
【補正対象書類名】明細書
【補正対象項目名】００１４
【補正方法】変更
【補正の内容】
【００１４】
【発明の実施の形態】
本発明の画像形成装置およびその制御方法の実施の形態について図面を参照しながら説明する。図１は第１の実施形態における画像形成装置の構成を示す図である。この画像形成装置は、カラーリーダ部２００、プリンタ部３００およびフィニッシャ部４００から主に構成される。